(57)【要約】【課題】ローラの寿命延長を図り得るローラスクリーンを提供する。【解決手段】処理物の搬送方向に対し交差する方向へ延びる軸線を中心に回転駆動されるローラ２を、処理物の搬送方向へ複数並設してなるローラスクリーンにおいて、ローラ２の表面に、耐摩耗性材料を溶射することにより、溶射層８を形成する。【選択図】図１
2018061920.tif 000002
【特許請求の範囲】
【請求項１】
処理物の搬送方向に対し交差する方向へ延びる軸線を中心に回転駆動され且つ前記処理物の搬送方向へ複数並設されるローラを備えたローラスクリーンにおいて、
前記ローラは、表面に耐摩耗性材料からなる被膜層が形成されていることを特徴とするローラスクリーン。
【請求項２】
前記被膜層は、耐摩耗性材料が溶射された溶射層である請求項１記載のローラスクリーン。
【請求項３】
前記耐摩耗性材料は、サーメットである請求項１又は２記載のローラスクリーン。
【請求項４】
前記耐摩耗性材料は、合金鋼である請求項１又は２記載のローラスクリーン。
【請求項５】
前記処理物は石炭である請求項１〜４の何れか一項に記載のローラスクリーン。
【発明の詳細な説明】
【技術分野】
【０００１】
本発明は、ローラスクリーンに関するものである。
【背景技術】
【０００２】
一般に、採掘されてバラ物運搬船で輸送される石炭は、連続アンローダやグラブバケット式アンローダ等の荷役運搬機械によって荷揚げされ、サイロ等に貯留され、火力発電所の石炭焚ボイラ等で燃料として用いられる。
【０００３】
前記石炭は、粒径が不揃いであるため、石炭の搬送方向に対し交差する方向へ延びる軸線を中心に回転駆動され且つ前記石炭の搬送方向へ複数並設されるローラを備えたローラスクリーンで分級され、分級されてある程度粒径が均一化された石炭がミルによって微粉砕され、前記石炭焚ボイラ等のバーナに供給されて燃焼される。
【０００４】
前記ローラスクリーンのローラは、従来、安価に製造可能な軟鋼製のものが使用されていた。
【０００５】
尚、前記ローラスクリーンと関連する一般的技術水準を示すものとしては、例えば、特許文献１がある。
【先行技術文献】
【特許文献】
【０００６】
【特許文献１】特開平８−２６７０１１号公報
【発明の概要】
【発明が解決しようとする課題】
【０００７】
しかしながら、前記ローラスクリーンのローラを軟鋼で製造した場合、該ローラは、処理物としての石炭との接触により摩耗しやすく、寿命が短くなるという不具合を有していた。
【０００８】
因みに、硬化肉盛を行った耐摩耗性鋼板で前記ローラを製造することによって、該ローラの寿命延長を図ることも可能ではあるが、コストが非常に高くなるため、改善が望まれていた。
【０００９】
本発明は、上記従来の問題点に鑑みてなしたもので、ローラの寿命延長を図り得るローラスクリーンを提供しようとするものである。
【課題を解決するための手段】
【００１０】
上記目的を達成するために、本発明のローラスクリーンは、処理物の搬送方向に対し交差する方向へ延びる軸線を中心に回転駆動され且つ前記処理物の搬送方向へ複数並設されるローラを備えたローラスクリーンにおいて、
前記ローラは、表面に耐摩耗性材料からなる被膜層が形成されていることを特徴としている。
【００１１】
前記ローラスクリーンにおいて、前記被膜層は、耐摩耗性材料が溶射された溶射層とすることができる。
【００１２】
前記ローラスクリーンにおいて、前記耐摩耗性材料は、サーメットとすることができる。
【００１３】
前記ローラスクリーンにおいて、前記耐摩耗性材料は、合金鋼とすることもできる。
【００１４】
前記ローラスクリーンにおいて、前記処理物は石炭とすることができる。
【発明の効果】
【００１５】
本発明のローラスクリーンによれば、ローラの寿命延長を図り得るという優れた効果を奏し得る。
【図面の簡単な説明】
【００１６】
【図１】本発明のローラスクリーンの実施例におけるローラを示す断面図である。
【図２】図１のＩＩ−ＩＩ断面図である。
【図３】本発明のローラスクリーンの実施例を示す平面図である。
【図４】本発明のローラスクリーンの実施例を示す側断面図である。
【発明を実施するための形態】
【００１７】
以下、本発明の実施の形態を添付図面を参照して説明する。
【００１８】
図１〜図４は本発明のローラスクリーンの実施例である。
【００１９】
本実施例におけるローラスクリーンは、図３及び図４に示す如く、ケーシング１の内部に、処理物としての石炭Ｃの搬送方向に対し交差する方向へ延びる軸線を中心に回転駆動されるローラ２を、前記石炭Ｃの搬送方向へ複数並設してなる構成を有している。
【００２０】
前記ローラ２の一端側の支持軸３にはスプロケット４が嵌着され、前記石炭Ｃの搬送方向へ互いに隣接するスプロケット４間には無端状のチェーン５が掛け回されており、所定のローラ２の支持軸３をモータ６で回転駆動することにより、前記スプロケット４とチェーン５を介して複数のローラ２を同一方向へ且つ同一速度で回転駆動できるようになっている。
【００２１】
前記ローラ２の外周面には、軸線方向へ所要間隔をあけて環状突起７が突設されており、石炭Ｃの搬送を安定させるようになっている。尚、環状突起７の形状は、図１及び図４に示す例では円形としているが、三角形やそれ以外の多角形としても良い。
【００２２】
前記ローラ２間の間隙は、石炭Ｃが所定の粒度で分級されるように予め設定されている。
【００２３】
そして、前記ローラ２の表面には、図１及び図２に示す如く、耐摩耗性材料を溶射することにより、被膜層としての溶射層８が形成されている。前記耐摩耗性材料としては、例えば、超硬合金であるタングステンカーバイドを含むサーメット、或いは１３Ｃｒ等のステンレス鋼を含む合金鋼を選定することができる。但し、前記耐摩耗性材料は、ニッケル基の超合金であるインコネル（登録商標）、ホワイトアルミナ等のアルミナ系セラミックス、ジルコニア等のジルコニア系セラミックス、炭素鋼とすることもできる。
【００２４】
尚、前記被膜層は、溶射層８に限らず、例えば、化学気相成長（CVD: Chemical Vapor Deposition）による蒸着層、物理気相成長（PVD：Physical Vapor Deposition）による蒸着層、エポキシ系樹脂接着による接着層、メッキによるメッキ層とすることができる。
【００２５】
次に、上記実施例の作用を説明する。
【００２６】
モータ６でローラ２の支持軸３を回転駆動すると、前記スプロケット４とチェーン５を介して複数のローラ２が同一方向へ且つ同一速度で回転駆動される。
【００２７】
この状態で、石炭Ｃがローラ２上に供給されると、ローラ２上の石炭Ｃは、該ローラ２の回転作用により搬送方向へ移動する過程において、前記間隙より小さい粒径のものは、該間隙を通過してローラ２の下方へ落下して回収され、前記間隙より大きい粒径のものは、ローラ２上を転動しながら下流側へ移動していく。これにより、石炭Ｃの分級が行われる。
【００２８】
前記石炭Ｃの分級が行われている間、ローラ２は石炭Ｃと接触して摩擦が生じるが、その表面には耐摩耗性材料からなる溶射層８が形成されているため、摩耗しにくく、寿命が長くなる。
【００２９】
又、前記ローラ２の表面に溶射層８を形成することは、硬化肉盛を行った耐摩耗性鋼板で前記ローラ２を製造することに比べ、コストを削減することが可能となる。
【００３０】
更に又、前記溶射層８が摩耗してもローラ２の母材が露出する前に再度溶射を行って溶射層８を修復することにより、ローラ２を交換することなく、使い続けることが可能となり、ローラ２の寿命を大幅に延長することができる。
【００３１】
こうして、ローラ２の寿命延長を図り得る。
【００３２】
そして、本実施例の場合、前記被膜層は、耐摩耗性材料が溶射された溶射層８としている。このように構成すると、溶射層８によってローラ２の耐摩耗性を向上させることができる。
【００３３】
前記耐摩耗性材料は、サーメットとすることができる。このように構成すると、サーメットは超硬合金であり、石炭Ｃとの接触によるローラ２の摩耗を効果的に抑制することができる。
【００３４】
又、前記耐摩耗性材料は、合金鋼とすることもでき、このように構成しても、石炭Ｃとの接触によるローラ２の摩耗を抑制する上で有効となる。
【００３５】
更に又、本実施例では、前記処理物は石炭Ｃとしている。これにより、石炭焚ボイラのミルへ供給される石炭Ｃをローラスクリーンで分級する火力発電所等の設備において、ローラ２のメンテナンスの頻度を減少させ、運転を円滑に継続できる。
【００３６】
尚、本発明のローラスクリーンは、上述の実施例にのみ限定されるものではなく、本発明の要旨を逸脱しない範囲内において種々変更を加え得ることは勿論である。
【符号の説明】
【００３７】
２    ローラ
８    溶射層（被膜層）
Ｃ    石炭
【図１】
2018061920.tif 000003
【図２】
2018061920.tif 000004
【図３】
2018061920.tif 000005
【図４】
2018061920.tif 000006